(57)【要約】【課題】携帯通信端末の端末ディスプレイに表示された地図画面において、駐車停位置が見えなくなることを防止する駐車位置案内表示装置を提供する。【解決手段】携帯通信端末２の端末ディスプレイに、地図画面２１Ａ、メニュー欄２２Ａ、サブメニュー欄２３Ａ、及び、自車両の駐停車位置２４Ａを表示する表示部２０と、端末ディスプレイにおける駐停車位置２４Ａの表示位置とサブメニュー欄２３Ａの表示位置とが重複している場合、端末ディスプレイにおける地図画面２１Ａの表示範囲を移動させ、駐停車位置２４Ａの表示位置をサブメニュー欄２３Ａの表示位置と重複しない位置に移動させて表示する変更部３０とを備える。【選択図】図１
2019066305.tif 000002
【特許請求の範囲】
【請求項１】
携帯通信端末の端末ディスプレイに、地図画面、メニュー欄、サブメニュー欄、及び、自車両の駐停車位置を含む情報を表示する表示部と、
前記端末ディスプレイにおける前記駐停車位置の表示位置と前記サブメニュー欄の表示位置とが重複している場合、前記端末ディスプレイにおける前記地図画面の表示範囲を移動させ、前記駐停車位置の表示位置を前記サブメニュー欄の表示位置と重複しない位置に移動させて表示する変更部とを備える
ことを特徴とする駐車位置案内表示装置。
【請求項２】
前記表示部は、前記自車両の駐停車時に、前記地図画面及び前記駐停車位置を表示し、前記地図画面及び前記駐停車位置が表示された後、ユーザにより任意のタイミングで前記サブメニュー欄を表示する
ことを特徴とする請求項１に記載の駐車位置案内表示装置。
【請求項３】
ユーザによりメモを入力することが可能なメモ作成画面を前記端末ディスプレイに表示し、前記メモを保存し任意のタイミングで前記端末ディスプレイに表示するメモ作成部を備え、
前記メニュー欄及び前記サブメニュー欄のうち少なくともいずれか一方に、前記メモ作成部を起動するアイコンが設けられる
ことを特徴とする請求項１に記載の駐車位置案内表示装置。
【請求項４】
前記メモ作成画面には、前記携帯通信端末に設けられる第１撮像手段を起動するためのアイコンが設けられ、
前記第１撮像手段による第１撮像画像は任意のタイミングで前記端末ディスプレイに表示される
ことを特徴とする請求項３に記載の駐車位置案内表示装置。
【請求項５】
ＧＰＳ機能が無効又は圏外の状態において、前記自車両の駐停車時、又は、前記携帯通信端末を所持した前記ユーザが前記自車両から所定距離より離れたときに、前記ユーザに対しＧＰＳが利用できない状態であることを伝達し前記メモ作成画面の利用を促す表示がされているプッシュ画面を、前記端末ディスプレイに表示し、前記ユーザが前記プッシュ画面を操作することで前記メモ作成部を起動し、前記メモ作成画面を利用することを可能とする、プッシュ通知部を備える
ことを特徴とする請求項３又は４に記載の駐車位置案内表示装置。
【請求項６】
ユーザにより、前記自車両を駐停車した日付と時刻、及び、該時刻からカウントが開始されるタイマーを設定可能とする時間設定部を備え、
前記メニュー欄及び前記サブメニュー欄のうち少なくともいずれか一方に、前記時間設定部を起動するアイコンが設けられる
ことを特徴とする請求項１に記載の駐車位置案内表示装置。
【請求項７】
前記表示部は、前記自車両を有料駐車場に駐車した場合のみ、前記サブメニュー欄に前記時間設定部を起動するアイコンを表示する
ことを特徴とする請求項６に記載の駐車位置案内表示装置。
【請求項８】
前記自車両の駐停車時、ＧＰＳ機能が無効又は圏外の状態であることにより利用できず、前記自車両の駐停車位置を検索することができない状態であることを、通知するか否かの選択を可能とする各種設定部を備え、
前記メニュー欄及び前記サブメニュー欄のうち少なくともいずれか一方に、前記各種設定部を起動するアイコンが設けられる
ことを特徴とする請求項１に記載の駐車位置案内表示装置。
【請求項９】
前記各種設定部は、ＧＰＳ機能が無効又は圏外の状態において前記自車両を駐停車し、前記携帯通信端末を所持した前記ユーザが、一度前記自車両から離れた後、前記自車両の制御部と前記携帯通信端末との送受信可能な範囲まで再び戻って来たとき、前記携帯通信端末から前記制御部に対して、前記自車両に設けられた第２撮像手段を起動する指令信号を送信するものであり、
前記第２撮像手段により撮像した第２撮像画像は、前記制御部から前記携帯通信端末に対して送信され、前記第２撮像画像は任意のタイミングで前記端末ディスプレイに表示される
ことを特徴とする請求項８に記載の駐車位置案内表示装置。
【発明の詳細な説明】
【技術分野】
【０００１】
本発明は、車両用の駐車位置案内表示装置に関する。
【背景技術】
【０００２】
下記特許文献１，２のように、ＧＰＳ機能を利用し、携帯通信端末を所持したユーザの現在地から、駐車してある自車両の位置までのルートを検索し、携帯通信端末にルート案内を表示する技術が開示されている。
【０００３】
上記技術により、ユーザは土地勘のない場所や大型ショッピングセンターなどにおいて駐車した自車両に戻る際に、駐車位置が分からなくなることを防ぐことができる。
【先行技術文献】
【特許文献】
【０００４】
【特許文献１】特開２０１４‐２３５００４号公報
【特許文献２】特許第５０９３４９４号公報
【発明の概要】
【発明が解決しようとする課題】
【０００５】
上記特許文献１，２に開示された技術では、地図画面上にまず駐車位置を表示する際に、駐車位置を示す記号が、駐車位置情報に関する設定を行うためのサブメニュー欄と重複し、見えなくなってしまうことがあり、不便である。
【０００６】
本発明は、上記技術的課題に鑑み、携帯通信端末の端末ディスプレイに表示された地図画面において、駐車停位置が見えなくなることを防止する、駐車位置案内表示装置を提供することを目的とする。
【課題を解決するための手段】
【０００７】
上記課題を解決する第１の発明に係る駐車位置案内表示装置は、
携帯通信端末の端末ディスプレイに、地図画面、メニュー欄、サブメニュー欄、及び、自車両の駐停車位置を含む情報を表示する表示部と、
前記端末ディスプレイにおける前記駐停車位置の表示位置と前記サブメニュー欄の表示位置とが重複している場合、前記端末ディスプレイにおける前記地図画面の表示範囲を移動させ、前記駐停車位置の表示位置を前記サブメニュー欄の表示位置と重複しない位置に移動させて表示する変更部とを備える
ことを特徴とする。
【０００８】
上記課題を解決する第２の発明に係る駐車位置案内表示装置は、
上記第１の発明に係る駐車位置案内表示装置において、
前記表示部は、前記自車両の駐停車時に、前記地図画面及び前記駐停車位置を表示し、前記地図画面及び前記駐停車位置が表示された後、ユーザにより任意のタイミングで前記サブメニュー欄を表示する
ことを特徴とする。
【０００９】
上記課題を解決する第３の発明に係る駐車位置案内表示装置は、
上記第１の発明に係る駐車位置案内表示装置において、
ユーザによりメモを入力することが可能なメモ作成画面を前記端末ディスプレイに表示し、前記メモを保存し任意のタイミングで前記端末ディスプレイに表示するメモ作成部を備え、
前記メニュー欄及び前記サブメニュー欄のうち少なくともいずれか一方に、前記メモ作成部を起動するアイコンが設けられる
ことを特徴とする。
【００１０】
上記課題を解決する第４の発明に係る駐車位置案内表示装置は、
上記第３の発明に係る駐車位置案内表示装置において、
前記メモ作成画面には、前記携帯通信端末に設けられる第１撮像手段を起動するためのアイコンが設けられ、
前記第１撮像手段による第１撮像画像は任意のタイミングで前記端末ディスプレイに表示される
ことを特徴とする。
【００１１】
上記課題を解決する第５の発明に係る駐車位置案内表示装置は、
上記第３又は４の発明に係る駐車位置案内表示装置において、
ＧＰＳ機能が無効又は圏外の状態において、前記自車両の駐停車時、又は、前記携帯通信端末を所持した前記ユーザが前記自車両から所定距離より離れたときに、前記ユーザに対しＧＰＳが利用できない状態であることを伝達し前記メモ作成画面の利用を促す表示がされているプッシュ画面を、前記端末ディスプレイに表示し、前記ユーザが前記プッシュ画面を操作することで前記メモ作成部を起動し、前記メモ作成画面を利用することを可能とする、プッシュ通知部を備える
ことを特徴とする。
【００１２】
上記課題を解決する第６の発明に係る駐車位置案内表示装置は、
上記第１の発明に係る駐車位置案内表示装置において、
ユーザにより、前記自車両を駐停車した日付と時刻、及び、該時刻からカウントが開始されるタイマーを設定可能とする時間設定部を備え、
前記メニュー欄及び前記サブメニュー欄のうち少なくともいずれか一方に、前記時間設定部を起動するアイコンが設けられる
ことを特徴とする。
【００１３】
上記課題を解決する第７の発明に係る駐車位置案内表示装置は、
上記第６の発明に係る駐車位置案内表示装置において、
前記表示部は、前記自車両を有料駐車場に駐車した場合のみ、前記サブメニュー欄に前記時間設定部を起動するアイコンを表示する
ことを特徴とする。
【００１４】
上記課題を解決する第８の発明に係る駐車位置案内表示装置は、
上記第１の発明に係る駐車位置案内表示装置において、
前記自車両の駐停車時、ＧＰＳ機能が無効又は圏外の状態であることにより利用できず、前記自車両の駐停車位置を検索することができない状態であることを、通知するか否かの選択を可能とする各種設定部を備え、
前記メニュー欄及び前記サブメニュー欄のうち少なくともいずれか一方に、前記各種設定部を起動するアイコンが設けられる
ことを特徴とする。
【００１５】
上記課題を解決する第９の発明に係る駐車位置案内表示装置は、
上記第８の発明に係る駐車位置案内表示装置において、
前記各種設定部は、ＧＰＳ機能が無効又は圏外の状態において前記自車両を駐停車し、前記携帯通信端末を所持した前記ユーザが、一度前記自車両から離れた後、前記自車両の制御部と前記携帯通信端末との送受信可能な範囲まで再び戻って来たとき、前記携帯通信端末から前記制御部に対して、前記自車両に設けられた第２撮像手段を起動する指令信号を送信するものであり、
前記第２撮像手段により撮像した第２撮像画像は、前記制御部から前記携帯通信端末に対して送信され、前記第２撮像画像は任意のタイミングで前記端末ディスプレイに表示される
ことを特徴とする。
【発明の効果】
【００１６】
本発明に係る駐車位置案内表示装置によれば、携帯通信端末の端末ディスプレイに表示された地図画面において、駐車位置が見えなくなることを防止することができる。
【図面の簡単な説明】
【００１７】
【図１】本発明の実施例に係る駐車位置案内表示装置の構成を説明するブロック図である。
【図２】本発明の実施例の携帯通信端末におけるサブメニュー表示部以外の表示部の起動による端末ディスプレイへの画面表示のイメージ図である。
【図３】本発明の実施例の携帯通信端末におけるサブメニュー表示部を含む表示部の起動による端末ディスプレイへの画面表示のイメージ図である。
【図４】本発明の実施例の携帯通信端末における端末ディスプレイに表示されたメモ作成画面のイメージ図である。
【図５】本発明の実施例の携帯通信端末における端末ディスプレイに表示された時間設定画面のイメージ図である。
【発明を実施するための形態】
【００１８】
以下、本発明に係る駐車位置案内表示装置を実施例にて図面を用いて説明する。
【実施例】
【００１９】
まず、図１に示すブロック図を用いて、本実施例に係る駐車位置案内表示装置の構成について説明する。本実施例に係る駐車位置案内表示装置（駐車位置案内表示装置１）は、主な構成として、携帯通信端末２、及び、ＥＣＵ（Ｅｌｅｃｔｒｏｎｉｃ  Ｃｏｎｔｒｏｌｌｅｄ  Ｕｎｉｔ：電子制御部）３を備えている。
【００２０】
携帯通信端末２には携帯通信端末側送受信回路２ａが、ＥＣＵ３にはＥＣＵ側送受信回路３ａが、それぞれ設けられている。携帯通信端末側送受信回路２ａ、及び、ＥＣＵ側送受信回路３ａは、携帯通信端末２とＥＣＵ３との信号の送受信に用いられる回路であり、本実施例では、ＢｌｕｅＴｏｏｔｈ（登録商標）を利用するものとする。
【００２１】
ＥＣＵ３は、車両に搭載され、各車両装備品と電気的に接続している。また、ＥＣＵ３は、ＬＦ信号やＲＦ信号により車両登録キーとの送受信が可能となっている。
【００２２】
以下、携帯通信端末２について詳述する。携帯通信端末２は、操作部１１、表示部２０、変更部３０、設定部４０、及び、現在地及びルート検索表示部５１を備えている。
【００２３】
操作部１１は、例えば携帯通信端末２の端末ディスプレイに配され、ユーザにより入力操作を行うものである。
【００２４】
表示部２０は、地図表示部２１、ヘッドライト起動部２１ａ、メニュー表示部２２、サブメニュー表示部２３、及び、駐車位置検索表示部２４を備えている。携帯通信端末２がＥＣＵ３から自車両が駐停車した情報信号を受信すると、地図表示部２１、メニュー表示部２２、及び、駐車位置検索表示部２４（すなわち、表示部２０のうちヘッドライト起動部２１ａとサブメニュー表示部２３以外）は、同時に起動し端末ディスプレイに画面表示を行う。また、この画面表示と同時に、携帯通信端末２に振動及び効果音の少なくとも一方を発現させるようにしてもよい。
【００２５】
図２は、携帯通信端末２におけるサブメニュー表示部２３以外の表示部２０の起動による端末ディスプレイへの画面表示のイメージ図である。図３は、さらにサブメニュー表示部２３を起動した場合の端末ディスプレイへの画面表示のイメージ図である。
【００２６】
図２に示すように、地図表示部２１は、端末ディスプレイ上に、地図画面２１Ａ、サブメニュー表示アイコン２３ａ、及び、ヘッドライト点灯アイコン２２Ｂを表示させる。なお、地図画面２１Ａは後述する駐停車位置を含む範囲の地図とする。
【００２７】
地図表示部２１により表示されたヘッドライト点灯アイコン２２Ｂは、携帯通信端末２が車載されたＥＣＵ３との送受信が可能な位置にある場合のみ、操作部１１によりタップ操作が可能となる。ヘッドライト点灯アイコン２２Ｂは、例えば、タップ操作不可の状態では白く表示し、タップ操作可の状態になると色を付けて表示するようにしてもよい。
【００２８】
ヘッドライト起動部２１ａは、自車両のヘッドライトを操作する指令信号をＥＣＵ３へ送信するものであり、ヘッドライト点灯アイコン２２Ｂへのタップ（ＯＮ）操作が行われると、ＥＣＵ３へ自車両のヘッドライト点灯の指令信号を送信し、この指令信号を受信したＥＣＵ３は自車両のヘッドライトを点灯させる。なお、再度ヘッドライト点灯アイコン２２Ｂへのタップ操作が行われると、ヘッドライト起動部２１ａはＥＣＵ３へ自車両のヘッドライト消灯の指令信号を送信し、この指令信号を受信したＥＣＵ３は自車両のヘッドライトを消灯させる。
【００２９】
メニュー表示部２２は、端末ディスプレイの、例えば地図画面２１Ａの下方において、左右に延伸するメニュー欄２２Ａを表示させる。そしてこのメニュー欄２２Ａには、操作部１１により操作可能な１つ以上の（駐停車位置情報に関する設定を行う）アイコンが設けられている（図２，３では、メニュー欄２２Ａ内の各アイコンの枠のみを表しており、具体的な表記は省略している）。ただし、メニュー欄２２Ａは、地図画面２１Ａの下端部分に重複するようにして表示させてもよく、あるいは、地図画面２１Ａと分けて表示させてもよい。
【００３０】
サブメニュー表示部２３は、操作部１１によりサブメニュー表示アイコン２３ａへのタップ（ＯＮ）操作が行われると、図３に示すように、携帯通信端末２の端末ディスプレイ上の、例えば右上端に、サブメニュー欄２３Ａを表示させる。そしてこのサブメニュー欄２３Ａには、操作部１１により操作可能な１つ以上の（駐停車位置情報に関する設定を行う）アイコンが設けられている。なお、サブメニュー欄２３Ａは、サブメニュー欄２３Ａ以外の領域をタッチすることで閉じることができる。
【００３１】
サブメニュー欄２３Ａには、一例として、駐車位置確認アイコン２３ＡＡ、メモ作成アイコン２３ＡＢ、時間設定アイコン２３ＡＣ、及び、各種設定アイコン２３ＡＤが設けられている。なお、メニュー欄２２Ａに設けられているアイコンと、サブメニュー欄２３Ａに設けられているアイコンとは、１つ以上が共通しているものであってもよい。
【００３２】
操作部１１により駐車位置確認アイコン２３ＡＡへのタップ操作が行われると、携帯通信端末２の端末ディスプレイ上には、地図表示部２１による地図画面２１Ａのみ（アイコン２３ａ，２２Ｂも表示させない）が表示されるようになる。なお、その他のアイコンをタップ操作した場合については後述する。
【００３３】
駐車位置検索表示部２４は、携帯通信端末２に備わるＧＰＳ機能（図示略）を用いて、駐停車位置２４Ａを検索し地図画面２１Ａ上に表示する。なお、駐車位置検索表示部２４が起動するタイミングは、ユーザが自車両を駐停車した時点であることから、このときの「駐停車位置」は、すなわち「（携帯通信端末２を所持するユーザの）目的地」となる。
【００３４】
また、変更部３０は、サブメニュー表示範囲検出部３１、駐車位置座標検出部３２、比較部３３、及び、駐車位置表示変更部３４を備えている。
【００３５】
サブメニュー表示範囲検出部３１は、携帯通信端末２の端末ディスプレイ上でのサブメニュー欄２３Ａの表示位置を検出する。
【００３６】
駐車位置座標検出部３２は、携帯通信端末２の端末ディスプレイ上での駐停車位置２４Ａの表示位置を検出する。
【００３７】
なお、サブメニュー表示範囲検出部３１及び駐車位置座標検出部３２による各表示位置の検出は、例えば尺度に応じて画像上のドット幅を距離に換算し、距離として検出してもよい。
【００３８】
比較部３３は、サブメニュー表示範囲検出部３１で検出したサブメニュー欄２３Ａの表示位置と、駐車位置座標検出部３２で検出した駐停車位置２４Ａの表示位置とを比較し、これら２つの表示位置が端末ディスプレイ上で重複しているか否かを判断する。
【００３９】
駐車位置表示変更部３４は、比較部３３において、サブメニュー欄２３Ａの表示位置と駐停車位置２４Ａの表示位置とが重複していると判断した場合、駐停車位置２４Ａの表示位置が、サブメニュー欄２３Ａの表示位置以外の位置となるように、地図画面２１Ａの表示範囲を移動させる。
【００４０】
さらに、設定部４０は、操作部１１からの指令により起動、又は、所定のタイミングで自動的に起動するものであり、メモ作成部４１、カメラ（撮像手段）起動部４１ａ、時間設定部４２、各種設定部４３、及び、プッシュ通知部４４を備えている。
【００４１】
メモ作成部４１は、操作部１１により図３に示すメモ作成アイコン２３ＡＢへのタップ操作が行われると、図４のイメージ図に示すように、携帯通信端末２の端末ディスプレイにメモ作成画面４１Ａを表示する。メモ作成画面４１Ａには、操作部１１によって文字を入力することができる。また、メモ作成画面４１Ａには、カメラアイコン４１Ｂが表示され、さらに、後述するようにカメラによって撮像した撮像画像が縮小表示される（４１Ｃ）。
【００４２】
カメラ起動部４１ａは、操作部１１によりカメラアイコン４１Ｂへのタップ操作が行われると、携帯通信端末２に内蔵されるカメラ（撮像手段）（図示略）を起動する。
【００４３】
操作部１１によってメモ作成画面４１Ａに入力された文字、及び、上記カメラによって撮像された撮像画像は、携帯通信端末２に保存され、ユーザが必要に応じて操作部１１の操作により端末ディスプレイに表示させることができる。
【００４４】
時間設定部４２は、操作部１１により図３に示す時間設定アイコン２３ＡＣへのタップ操作が行われると、図５のイメージ図に示すように、端末ディスプレイに時間設定画面４２Ａを表示する。時間設定画面４２Ａでは、操作部１１によって、自車両を駐停車した日付と時刻、該時刻からカウントが開始されるタイマー、及び、アラーム通知の有無を設定することができる。時間設定部４２は、駐停車時刻からタイマーによって設定した設定時間が経過すると、その旨を端末ディスプレイ上に表示させ、アラーム通知「有り」にしていると、この設定時間経過時に、携帯通信端末２からアラーム音を発生させる。
【００４５】
時間設定画面４２Ａによって設定された日付と時刻、及び、該時刻からカウントが開始されるタイマーは、例えば図２中の「２０１７／ＸＸ／ＹＹ」「Ｐ０分」と表示される。
【００４６】
各種設定部４３は、操作部１１により図３に示す各種設定アイコン２３ＡＤへのタップ操作が行われると、携帯通信端末２の端末ディスプレイに各種設定画面を表示する。
【００４７】
上記各種設定画面では、操作部１１により、例えば下記のような各種選択操作を行うことができる。
（１）駐停車後、携帯通信端末２（携帯通信端末２を所持したユーザ）が、車両から一度離れたのち、ＥＣＵ３との送受信が可能な範囲まで再度戻ってきた際に、該範囲まで戻ってきたことをユーザに通知（振動、効果音等）するか否かの選択。
（２）駐停車時、ＧＰＳが無効又は圏外であることにより利用できず、駐停車位置を検索することができていない状態であることを、通知するか否かの選択。
（３）携帯通信端末２とＥＣＵ３との送受信ができず、表示部２０を起動していない状態であることを、通知するか否かの選択。
【００４８】
なお、メモ作成部４１によるメモ作成画面４１Ａ、時間設定部による時間設定画面４２Ａ、各種設定部による各種設定画面には、サブメニュー表示アイコン２３ａが設けられており、サブメニュー欄２３Ａがいつでも開けるようになっている。そして、サブメニュー表示アイコン２３ａの位置は、常に地図画面２１Ａの表示中のサブメニュー表示アイコン２３ａと同じ位置とするのが好ましい。
【００４９】
プッシュ通知部４４は、各種設定部４３の上記（２）において「通知する」を選択した場合、ＧＰＳが無効又は圏外の状態で、駐停車したとき、又は、ユーザが自車両から所定距離より離れたときに、携帯通信端末２の端末ディスプレイにプッシュ画面を表示する。なお、プッシュ通知部４４は、プッシュ画面の表示と同時に、携帯通信端末２に振動及び効果音の少なくとも一方を発現させるようにしてもよい。また、上記「所定距離」は、キーレスエリア（車両登録キーから発信される信号が車両に届く範囲）としてもよい。
【００５０】
上記プッシュ画面は、ユーザに対し、ＧＰＳが無効又は圏外であることにより利用できない状態であることを伝え、メモ作成画面４１Ａの利用を促すものである。ユーザが操作部１１によりプッシュ画面においてスワイプ操作（又はタップ操作）を行うことで、メモ作成部４１を起動し、メモ作成画面４１Ａを利用することができる。なおプッシュ画面は、携帯通信端末２の電源が入ってさえいれば、たとえスリープ状態であっても表示可能である。
【００５１】
そして、現在地及びルート検索表示部５１は、駐停車した自車両から離れた位置にある携帯通信端末２（携帯通信端末２を所持したユーザ）が、再度自車両に戻る際に、操作部１１の操作により起動し、その時点での現在地を検索し、該現在地、及び、駐車位置検索表示部２４によって検索された駐停車位置に基づき、該現在地から駐停車位置２４Ａまでの最適なルートを検索し、該現在地、該駐停車位置、及び、該ルートを、地図画面上に表示する。
【００５２】
また、ＧＰＳ圏外での駐停車後に、携帯通信端末２を所持したユーザが、一度自車両から離れ、上記ルートによる案内によって、再び自車両のＥＣＵ３と携帯通信端末２との送受信可能な範囲まで戻って来たとき、携帯通信端末２からＥＣＵ３に対して、車載された車両カメラ（撮像手段）（図示略）を起動する指令信号を送信し、該車両カメラにより撮像した画像をＥＣＵ３から携帯通信端末２に対して送信し、携帯通信端末２はこの画像を保存するようにしてもよい。そしてこの機能は、例えば各種設定部４３に持たせ、各種設定部４３の上記（２）において「通知する」を選択した場合のみに発現するようにしてもよい。保存された撮像画像は、ユーザが必要に応じて操作部１１の操作により端末ディスプレイに表示することができる。
【００５３】
なお、本実施例においては、上述したサブメニュー欄２３Ａに設けられる各アイコンは、状況に応じて変更してもよい。例えば、ＧＰＳ機能により駐停車位置２４Ａが有料駐車場であると判断した場合のみに、時間設定アイコン２３ＡＣを表示させるようにしてもよい。
【００５４】
以上が駐車位置案内表示装置１の構成である。以下では駐車位置案内表示装置１の動作について説明する。
【００５５】
まず、ユーザが運転する自車両を駐車又は停車すると、自車両が駐停車したとの情報がＥＣＵ３から携帯通信端末２へ送信される。
【００５６】
携帯通信端末２が上記情報を受信すると、表示部２０のうち、地図表示部２１、メニュー表示部２２、及び、駐車位置検出表示部２４によって、携帯通信端末２の端末ディスプレイに、地図画面２１Ａ（アイコン２３ａ，２２Ｂ含む）、メニュー欄２２Ａ、及び、地図画面２１Ａ上の駐停車位置２４Ａを表示する。
【００５７】
さらに、ユーザが操作部１１によりサブメニュー表示アイコン２３ａをタップ操作すると、サブメニュー表示部２３が起動し、携帯通信端末２の端末ディスプレイにサブメニュー欄２３Ａが表示される。
【００５８】
サブメニュー表示範囲検出部３１、駐車位置座標検出部３２、及び、比較部３３によって、端末ディスプレイ上におけるサブメニュー欄２３Ａの表示位置と駐停車位置２４Ａ（現在地）の表示位置とを比較し、表示位置が重複している場合には、駐車位置表示変更部３４によって端末ディスプレイにおける地図画面２１Ａの表示範囲を移動させ、駐停車位置２４Ａの表示位置をサブメニュー欄２３Ａの表示位置と重複しない位置に移動させて表示する。
【００５９】
ユーザが操作部１１によりサブメニュー欄２３Ａ（あるいはメニュー欄２２Ａ）のなかの、駐車位置確認アイコン２３ＡＡをタップ操作した場合、携帯通信端末２の端末ディスプレイには地図表示部２１による地図画面２１Ａのみが表示される。
【００６０】
ユーザが操作部１１によりメモ作成アイコン２３ＡＢをタップ操作した場合、携帯通信端末２の端末ディスプレイに、メモ作成部４１により図４に示すメモ作成画面４１Ａ（４１Ｂ，４１Ｃ，２３ａを含む）が表示される。
【００６１】
メモ作成画面４１Ａにおいて作成したメモは携帯通信端末２に記憶され、必要に応じて表示することができる。カメラアイコン４１Ｂをタップ操作すると、カメラが起動し、このカメラによる撮像画像も携帯通信端末２に記憶され、そのメモ作成画面４１Ａ上に縮小画像が表示される。
【００６２】
ユーザが操作部１１により時間設定アイコン２３ＡＣをタップ操作した場合、携帯通信端末２の端末ディスプレイに、時間設定部４２により図５に示す時間設定画面４２Ａを表示する。時間設定画面４２Ａでは、駐停車時刻、タイマー、及び、アラーム通知有無の設定ができる。
【００６３】
ユーザが操作部１１により各種設定アイコン２３ＡＤをタップ操作した場合、携帯通信端末２の端末ディスプレイに、各種設定部４３により各種設定画面が表示され、既に説明した上記（１）〜（３）の設定を行うことができる。
【００６４】
ユーザが操作部１１により、上記（２）の設定において、駐停車時、ＧＰＳが無効又は圏外であることにより利用できず、駐停車位置を検索することができていない状態であることを「通知する」とした場合、ＧＰＳが無効又は圏外の状態で、駐停車したとき、又は、ユーザが自車両から所定距離より離れたときに、プッシュ通知部４４において、携帯通信端末２の端末ディスプレイにプッシュ画面を表示し、ＧＰＳが無効又は圏外であることにより利用できない状態であることを伝え、ユーザにメモ作成画面４１Ａの利用を促す。
【００６５】
また、ユーザが自車両から一度離れた後、再び自車両に戻る際に、現在地及びルート検索表示部５１は、ＧＰＳ機能により検索した（携帯通信端末２の）現在地、及び、駐車位置検索表示部２４において検索した駐停車位置に基づき、ルート検索を行い、携帯通信端末２の端末ディスプレイに最適なルートを表示する。また、ユーザが自車両のＥＣＵ３と携帯通信端末２との送受信可能な範囲まで戻って来たときには、車両カメラにより撮像した画像を、携帯通信端末２の端末ディスプレイに表示することができる。
【００６６】
以上、駐車位置案内表示装置１の構成及び動作につき説明した。駐車位置案内表示装置１は、以下のような作用効果を有する。
【００６７】
駐車位置案内表示装置１は、端末ディスプレイ上におけるサブメニュー欄２３Ａの表示位置と駐停車位置２４Ａ（現在地）の表示位置とを比較し、表示位置が重複している場合には、端末ディスプレイにおける地図画面２１Ａの表示範囲を移動させ、駐停車位置２４Ａの表示位置をサブメニュー欄２３Ａの表示位置と重複しない位置に移動させて表示することで、端末ディスプレイに表示された地図画面において、駐車位置が見えなくなることを防止することができる。
【００６８】
駐車位置案内表示装置１は、駐停車位置について、ＧＰＳ機能では判別できない詳細な情報を、メモあるいは携帯通信端末２のカメラの撮像画像によって記憶しておくことができるため、ユーザが、自車両から一度離れ再度戻る際に、ルート案内と併せて、メモ及び撮像画像を見ることができ、自車両の駐停車位置の詳細な情報を確認することができる。例えば、ＧＰＳ機能では判別できない立体駐車場内部の正確な駐停車位置情報を、駐車場の柱等に記載された駐車位置番号などをメモあるいは撮像しておくこともできる。
【００６９】
駐車位置案内表示装置１は、時間設定画面４２Ａを表示し、駐停車した時刻、タイマー、及び、アラーム通知の有無の設定ができるため、例えば経過時間によって料金が高くなる有料駐車場に駐車したとき、ユーザが計画した時刻に自車両に戻ることを、タイマー及びアラームによって促すことができる。
【００７０】
駐車位置案内表示装置１は、ユーザが、ＧＰＳが無効又は圏外の状態で駐停車したとき、又は、ユーザが自車両から所定距離より離れたときに、ユーザに対しＧＰＳが利用できない状態であることを伝達しメモ作成画面４１Ａの利用を促す表示がされているプッシュ画面を、端末ディスプレイに表示し、ユーザがプッシュ画面を操作することでメモ作成部４１を起動し、メモ作成画面４１Ａを利用することができるため、ＧＰＳにより駐停車位置を正確に検索できずとも、自車両の駐停車位置の情報を確認することができる。
【００７１】
また、ユーザが自車両から一度離れた後、再び自車両に戻る際に、現在地及びルート検索表示部５１は、ＧＰＳ機能により検索した（携帯通信端末２の）現在地、及び、駐車位置検索表示部２４において検索した駐停車位置に基づき、ルート検索を行い、携帯通信端末２の端末ディスプレイに最適なルートを表示し、ユーザが自車両のＥＣＵ３と携帯通信端末２との送受信可能な範囲まで戻って来たときには、車両カメラにより撮像した画像すなわち自車両付近の景色を写した画像を、携帯通信端末２の端末ディスプレイに表示することができるため、ユーザが自車両の駐停車位置の情報を確認することができる。
【産業上の利用可能性】
【００７２】
本発明は、車両用の駐車位置案内表示装置として好適である。
【符号の説明】
【００７３】
１  駐車位置案内表示装置
２  携帯通信端末
２ａ  携帯通信端末側送受信回路
３  ＥＣＵ（制御部）
３ａ  ＥＣＵ側送受信回路
１１  操作部
２０  表示部
２１  地図表示部
２１ａ  ヘッドライト起動部
２１Ａ  地図画面
２２  メニュー表示部
２２Ａ  メニュー欄
２２Ｂ  ヘッドライト点灯アイコン
２３  サブメニュー表示部
２３ａ  サブメニュー表示アイコン
２３Ａ  サブメニュー欄
２３ＡＡ  駐車位置確認アイコン
２３ＡＢ  メモ作成アイコン
２３ＡＣ  時間設定アイコン
２３ＡＤ  各種設定アイコン
２４  駐車位置検索表示部
２４Ａ  駐停車位置
３０  変更部
３１  サブメニュー表示範囲検出部
３２  駐車位置座標検出部
３３  比較部
３４  駐車位置表示変更部
４０  設定部
４１  メモ作成部
４１ａ  カメラ（撮像手段）起動部
４１Ａ  メモ作成画面
４１Ｂ  カメラアイコン
４１Ｃ  縮小撮像画像
４２  時間設定部
４２Ａ  時間設定画面
４３  各種設定部
４４  プッシュ通知部
５１  現在地及びルート検索表示部
【図１】
2019066305.tif 000003
【図２】
2019066305.tif 000004
【図３】
2019066305.tif 000005
【図４】
2019066305.tif 000006
【図５】
2019066305.tif 000007